(57)【要約】  酸を回収するための装置は、カソードと、アノードと、カソードとアノードの間に配置された複数の陰イオン交換膜と、複数の陰イオン交換膜と交互に配置された複数のプロトン選択膜と、陰イオン及びプロトンを含む水性流を収容するための複数の第１のコンパートメントと、複数の第１のコンパートメントと交互に配置され、第１のコンパートメントから陰イオン交換膜を介して陰イオン、及びプロトン選択膜を介して主にプロトンを受け入れる回収流を収容するための複数の第２のコンパートメントとを含む。関連する方法についても、説明する。【選択図】図１【特許請求の範囲】
【請求項１】
酸を回収するための装置であって、
カソードと、
アノードと、
カソードとアノードの間に配置された複数の陰イオン交換膜と、
複数の陰イオン交換膜と交互に配置された複数のプロトン選択膜と、
陰イオン及びプロトンを含む水性流を収容するための複数の第１のコンパートメントと、
複数の第１のコンパートメントと交互に配置され、第１のコンパートメントから陰イオン交換膜を介して陰イオン、及びプロトン選択膜を介して主にプロトンを受け入れて水性流から酸を回収する回収流を収容するための複数の第２のコンパートメントと
を含む装置。
【請求項２】
プロトン選択膜が、陰イオン交換膜エレメントと、陰イオン交換膜エレメントに取り付けられた陽イオン交換膜エレメントとを含む、請求項１に記載の装置。
【請求項３】
陰イオン交換膜エレメントがアノードに面し、陽イオン交換膜エレメントがカソードに面する、請求項２に記載の装置。
【請求項４】
プロトン選択膜が、陰イオン交換材料の層と、陰イオン交換材料の層と一体化された陽イオン交換材料の層とを含む、請求項１に記載の装置。
【請求項５】
陰イオン交換材料の層がアノードに面し、陽イオン交換材料の層がカソードに面する、請求項４に記載の装置。
【請求項６】
水性流が、プロトン以外の陽イオンを含む、請求項１に記載の装置。
【請求項７】
酸を回収するための方法であって、
陰イオン及びプロトンを含む水性流を装置に導入する工程であって、装置が、カソードと、アノードと、カソードとアノードの間に配置された複数の陰イオン交換膜と、複数の陰イオン交換膜と交互に配置された複数のプロトン選択膜と、水性流を受け入れるための複数の第１のコンパートメントと、複数の第１のコンパートメントと交互に配置された複数の第２のコンパートメントとを含む工程と、
電圧をカソード及びアノードに印加して、第１のコンパートメントから陰イオン交換膜を介して陰イオン、及びプロトン選択膜を介して主にプロトンを第２のコンパートメントの回収流に移動させる工程と
を含む方法。
【請求項８】
水性流を第１のコンパートメントに再循環させることを含む、請求項７に記載の方法。
【請求項９】
電圧を印加する前に、回収流を第２のコンパートメントに供給することを含む、請求項７に記載の方法。
【請求項１０】
プロトン選択膜が、陰イオン交換膜エレメントと、陰イオン交換膜エレメントに取り付けられた陽イオン交換膜エレメントとを含む、請求項７に記載の方法。
【請求項１１】
プロトン選択膜が、陰イオン交換材料の層と、陰イオン交換材料の層と一体化された陽イオン交換材料の層とを含む、請求項７に記載の方法。
【請求項１２】
水性流が、プロトン以外の陽イオンを含む、請求項７に記載の方法。
【請求項１３】
酸が、塩化水素を含む、請求項７に記載の方法。
【請求項１４】
酸が、塩化水素、フッ化水素、硫酸、硝酸、リン酸又はこれらの組合せを含む、請求項７に記載の方法。
【請求項１５】
酸が、塩化水素、リン酸、硫酸又はそれらの組合せを含む、請求項７に記載の方法。
【請求項１６】
電圧が、各第１のコンパートメント及び隣接する第２のコンパートメントに対して約０．５Ｖ〜約３．０Ｖの範囲である、請求項７に記載の方法。
【請求項１７】
回収流を第２のコンパートメントに再循環させることを含む、請求項７に記載の方法。
【請求項１８】
回収流が、酸の水溶液を含む、請求項７に記載の方法。
【請求項１９】
回収流の最終酸濃度が、水性流の初期酸濃度の約２倍〜約２０倍である、請求項７に記載の方法。
【請求項２０】
回収流の酸の最終量と水性流の酸の初期量との比が、約５０％〜約９０％の範囲である、請求項７に記載の方法。
【発明の詳細な説明】
【技術分野】
【０００１】
本発明は、一般に、酸を回収するための装置及び方法に関する。
【背景技術】
【０００２】
現在入手可能な装置及び方法は、酸の使用によって生成された廃水性流などの水性流から酸を回収して金属の表面から酸化物及び他の不純物を除去するのにいずれも満足できる方法ではない。
【０００３】
したがって、酸を回収するための新しい装置及び方法が必要とされている。
【先行技術文献】
【特許文献】
【０００４】
【特許文献１】国際公開第２０１５／０２４１３５号
【発明の概要】
【０００５】
一態様では、本発明の実施形態は、酸を回収するための装置であって、カソードと、アノードと、カソードとアノードの間に配置された複数の陰イオン交換膜と、複数の陰イオン交換膜と交互に配置された複数のプロトン選択膜と、陰イオン及びプロトンを含む水性流を収容するための複数の第１のコンパートメントと、複数の第１のコンパートメントと交互に配置され、第１のコンパートメントから陰イオン交換膜を介して陰イオン、及びプロトン選択膜を介して主にプロトンを受け入れる回収流を収容するための複数の第２のコンパートメントとを含む装置に関する。
【０００６】
別の態様では、本発明の実施形態は、酸を回収するための方法であって、陰イオン及びプロトンを含む水性流を装置に導入する工程であって、装置は、カソードと、アノードと、カソードとアノードの間に配置された複数の陰イオン交換膜と、複数の陰イオン交換膜と交互に配置された複数のプロトン選択膜と、水性流を受け入れるための複数の第１のコンパートメントと、複数の第１のコンパートメントと交互に配置された複数の第２のコンパートメントとを含む工程と、電圧をカソード及びアノードに印加して、第１のコンパートメントから陰イオン交換膜を介して陰イオン、及びプロトン選択膜を介してプロトンを第２のコンパートメントの回収流に移動させる工程とを含む方法に関する。
【０００７】
本開示の上記及び他の態様、特徴、及び利点は、添付の図面と併せて以下の詳細な説明を考慮することによってより明らかになるであろう。
【図面の簡単な説明】
【０００８】
【図１】本発明の実施形態による装置の概略図である。
【図２】比較例の試験時間に対する電圧−電流曲線を示す図である。
【図３】実施例２の試験時間に対する電圧−電流曲線を示す図である。
【発明を実施するための形態】
【０００９】
特に明記しない限り、本明細書で使用される技術用語及び科学用語は、本開示が属する当業者により一般的に理解されるものと同じ意味を有する。本明細書において、「含む」、「備える」、又は「有する」、及びその変形の使用は、以下に列挙される項目及びその均等物、並びに追加の項目を包含することを意味する。
【００１０】
本明細書及び特許請求の範囲の全体を通してここで使用されているような近似を表す文言は、それが関連する基本的な機能を変更することなく、許容範囲内で異なり得る、定量的な表現の修飾に適用することができる。したがって、「およそ」などの１以上の用語によって修飾された値は、特定された正確な値に限定されない。いくつかの事例において、近似を表す文言は、値を測定するための機器の精度に対応する場合がある。ここで並びに本明細書及び特許請求の範囲の全体を通して、範囲の制限は、組合せるかかつ／又は置き換えることができ、このような範囲は、文脈又は文言で特に示されない限り、識別され、その中に含まれるすべての副範囲を含む。
【００１１】
以下の明細書及び特許請求の範囲において、単数形「ａ」、「ａｎ」及び「ｔｈｅ」は、文脈において特に明示しない限り、複数を含む。さらに、本明細書で使用される接尾辞「（ｓ）」は、通常それが修飾する用語の単数及び複数の両方を含み、それによりその用語の１以上を含むことを意図する。本明細書において、用語「第１の」、「第２の」などは、順序、量、又は重要性を示すものではなく、むしろ１つの要素を別のものと、又は一実施形態を別のものと区別するためなどに使用される。
【００１２】
本明細書で使用される場合、用語「又は」は、文脈において特に明示しない限り、排他的であることを意味するものではなく、存在する参照された構成要素（例えば、材料）の少なくとも１つを参照し、参照された構成要素の組合せが存在し得る事例を含む。
【００１３】
「ある実施形態」などに対する明細書全体での参照は、本発明に関連して記載されている特定の要素（例えば、特徴、構造、及び／又は特性）が、本明細書に記載の１以上の実施形態に含まれ、他の実施形態では存在してもしなくてもよいことを意味する。さらに、記載された本発明の特徴は、様々な実施形態では任意の適切な方法で組合せられてもよいことを理解されたい。
【００１４】
以下、添付の図面を参照しながら、本開示の好適な実施形態について説明する。以下の説明では、不必要な詳細で開示を不明瞭にすることを避けるために、周知の機能又は構成については詳細に説明しない。
【００１５】
図１は、本発明の実施形態による酸を回収するための装置１０の概略図を示している。装置１０は、カソード１１と、アノード１２と、カソード１１とアノード１２の間に配置された複数の陰イオン交換膜１３と、複数の陰イオン交換膜１３と交互に配置された複数のプロトン選択膜１４と、陰イオン１７とプロトン１８とを含む水性流１６を収容するための複数の第１のコンパートメント１５と、複数の第１のコンパートメント１５と交互に配置され、第１のコンパートメント１５から陰イオン交換膜１３を介して陰イオン１７、及びプロトン選択膜１４を介してプロトン１８を受け入れる回収流２３を収容するための複数の第２のコンパートメント１９とを含む。
【００１６】
ある実施形態では、各第１のコンパートメント１５は、隣接する第２のコンパートメント１９と共に繰り返しユニット、又はコンパートメント対を画成する。装置１０は、水性流１６の処理要件又は装置１０のスタック設計に基づいて、任意の数のコンパートメント対を含むことができる。
【００１７】
本明細書で使用される場合、用語「酸」などは、水溶液が青色リトマスを赤色にし、塩基及び特定の金属（カルシウムなど）と反応して塩を形成することができる化学物質又は化学物質の組合せをいう。酸の水溶液は、７未満のｐＨを有する。より低いｐＨは、より高い酸性度、及び水溶液中のより高い正の水素イオン（プロトン）の濃度を示す。酸の例としては、限定されるものではないが、塩化水素、フッ化水素、酢酸、硫酸、硝酸、炭酸、ホウ酸、リン酸、酒石酸、及びそれらの組合せが挙げられる。
【００１８】
カソード１１は、カソードでの使用に適した導電性材料を含むことができる。カソード１１の材料の例としては、限定されるものではないが、ニッケル、白金、白金めっきチタン、ステンレス鋼などの鋼、及びそれらの組合せが挙げられる。
【００１９】
アノード１２は、アノードでの使用に適した導電性材料を含むことができる。アノード１２の材料の例としては、限定されるものではないが、チタン、白金、白金めっきチタン、グラファイト及び二酸化鉛などの炭素、パラジウム、イリジウム、金、ルテニウム、タンタル、及びそれらの組合せが挙げられる。
【００２０】
陰イオン交換膜１３は、陰イオンの選択的通過を可能にする膜とすることができる。陰イオン交換膜の例としては、限定されるものではないが、Ｉｏｎｉｃｓ社（米国マサチューセッツ州ウォータータウン）から市販の２０４−ＵＺＬ−３８６陰イオン膜及びＡＲ２０４  ＳＸＺＬ陰イオン交換膜、徳山曹達（株）から市販のＮｅｏｓｅｐｔａ  ＡＭＸ−ＳＢ陰イオン交換膜及びＮｅｏｓｅｐｔａ  ＡＸＥ−０１陰イオン交換膜、徳山曹達（株）のＤＦ４３陰イオン交換膜、旭硝子（株）から市販のＳｅｌｅｍｉｏｎ（登録商標）ＡＭＶ、ＡＳＶ又はＡＡＶ陰イオン選択透過膜、米国特許第４２３１８５５号に記載の脂肪族第４級アンモニウム陰イオン交換膜、並びにスチレン／ブタジエン／ジビニルベンゼン共重合体をジクロロエタンで処理した後にトリエチルアミンで処理することによって調製した陰イオン交換膜が挙げられる。
【００２１】
プロトン選択膜１４は、プロトンの選択的通過を可能にする膜とすることができる。本明細書で使用される場合、用語「プロトン選択性」は、プロトン選択膜１４を通過するすべてのイオンの中で、プロトンの量が他のイオンの量より多い状況をいう。ある実施形態では、プロトンのみが、プロトン選択膜１４を通過する。ある実施形態では、プロトン選択膜１４を通って第２のコンパートメント１９に入る陽イオン（プロトン以外）のレベルは、もともと第１のコンパートメント１５にある陽イオン（プロトン以外）の約５０重量％、約３０重量％、又は約１０重量％未満である。
【００２２】
ある実施形態では、プロトン選択膜１４は、陰イオン交換膜エレメント２０と、陰イオン交換膜エレメント２０に取り付けられた陽イオン交換膜エレメント２１とを含む。プロトン選択膜１４は、陰イオン交換膜エレメント２０がアノード１２に面し、陽イオン交換膜エレメント２１がカソード１１に面する好ましい配向で装置１０に載置され得る。この好ましい配向は、プロトン選択膜１４のスケーリングを低減／排除するのに役立つ。陰イオン交換膜エレメント２０は、陰イオン交換膜１３と同じ又は異なる陰イオン交換膜であってもよい。
【００２３】
陽イオン交換膜エレメント２１は、陽イオンの選択的通過を可能にする膜とすることができる。陽イオン交換膜の例としては、限定されるものではないが、Ｉｏｎｉｃｓ社（米国マサチューセッツ州ウォータータウン）から市販のＣＲ６１−ＡＺＬ又はＣＲ６７  ＡＺＬ陽イオン交換膜、徳山曹達（株）から市販のＮｅｏｓｅｐｔａ  ＣＭＢ陽イオン交換膜及びＮｅｏｓｅｐｔａ  ＣＭＸ−ＳＢ陽イオン膜、ＤｕＰｏｎｔ社（米国デラウェア州ウィルミントン）のＮａｆｉｏｎ（登録商標）酸性フルオロカーボン膜、例えばＮａｆｉｏｎ（登録商標）１１０、９０１及び３２４陽イオン膜、並びにスチレン／ブタジエン／ジビニルベンゼン共重合体を無水硫酸でスルホン化することによって調製した陽イオン交換膜が挙げられる。
【００２４】
ある実施形態では、プロトン選択膜１４は、陰イオン交換材料の層２０と、塗装、コーティング、浸漬、噴霧、圧延及びはけ塗りなどの方法で陰イオン交換材料の層２０と一体化された陽イオン交換材料の層２１とを有する。プロトン選択膜１４は、陰イオン交換材料の層２０がアノード１２に面し、陽イオン交換材料の層２１がカソード１１に面する好ましい配向で装置１０に載置され得る。この好ましい配向は、プロトン選択膜１４のスケーリングを低減／排除するのに役立つ。
【００２５】
陰イオン交換材料の層２０は、上述したような陰イオン交換膜を製造するための材料を含むことができる。陽イオン交換材料の層２１は、上述したような陽イオン交換膜を製造するための材料を含むことができる。
【００２６】
第１のコンパートメント１５及び第２のコンパートメント１９は、カソード１１、陰イオン交換膜１３、プロトン選択膜１４及びアノード１２の間に互いに交互に配置される。
【００２７】
第１のコンパートメント１５に収容される水性流１６は、陰イオン１７とプロトン１８とを含む水性流であり得る。ある実施形態では、水性流１６は、プロトン以外の陽イオン２２を有する。
【００２８】
電圧がカソード１１及びアノード１２に印加されると、陰イオン１７は陰イオン交換膜１３を介してアノード１２に向かって第２のコンパートメント１９に移動し、プロトン１８はプロトン選択膜１４を介してカソード１１に向かって第２のコンパートメント１９に移動し、プロトン以外の陽イオン２２の大部分はカソード１１に向かって移動する一方、プロトン選択膜１４によってブロックされ、第１のコンパートメントに留まる。
【００２９】
電圧は、水を水酸化物イオン及びプロトンに分解することのない、イオンの移動を引き起こすための強度のものであればよい。ある実施形態では、電圧は、各コンパートメント対に対して約０．５Ｖ〜約３．０Ｖの直流（ＤＣ）電圧である。電圧の印加は、適切な温度及び圧力、例えば、室温及び大気圧であってもよい。
【００３０】
ある実施形態では、回収流２３は、電圧が印加される前に第２のコンパートメント１９に供給される。回収流２３は、水性流１６から酸を回収するための水性流であり得る。ある実施形態では、回収流２３は、酸の水溶液、例えば、水性流１６から回収される酸の水溶液を含む。
【００３１】
ある実施形態では、水性流１６は、第１のコンパートメント１５を一旦通って流れる。ある実施形態では、水性流１６は、第１のコンパートメント１５に再循環される。ある実施形態では、回収流２３は、第２のコンパートメント１９を一旦通って流れる。ある実施形態では、回収流２３は、第２のコンパートメント１９に再循環される。
【００３２】
回収流２３の流速と水性流１６の流速との比を調整することによって、又は適切な再循環プロセスを使用することによって、水性流１６から回収流２３に回収される酸の濃度及び／又は酸回収率（回収流の酸の最終量と水性流の酸の初期量との比）を改善することができる。
【００３３】
ある実施形態では、回収流２３の最終酸濃度は、酸を回収及び濃縮する目的で、水性流１６の初期酸濃度の約２倍〜約２０倍に調整することができる。ある実施形態では、酸回収率は、約５０％〜約９０％であってもよい。
【実施例】
【００３４】
以下の実施例は、特許請求される発明を実施する際に当業者に追加の指針を提供するために含まれる。これらの実施例は、添付の特許請求の範囲で定義される本発明を限定するものではない。
【００３５】
実施例１
Ｉｏｎｉｃｓ社（米国マサチューセッツ州ウォータータウン）から市販のＣＲ６７  ＡＺＬ陽イオン交換膜及びＡＲ２０４  ＳＸＺＬ陰イオン交換膜を互いに付着させ、プロトン選択膜を一体的に形成した。
【００３６】
装置は、アノードとしてチタン板を、カソードとしてステンレス鋼板を使用し、アノードとカソードの間にＡＲ２０４  ＳＸＺＬ陰イオン交換膜及びプロトン選択膜を交互に配置して、５つのコンパートメント対（５つの第１のコンパートメント及び第１のコンパートメントと交互に配置された５つの第２のコンパートメント）を画成することによって構築した。アノード、カソード並びに陽イオン交換膜及び陰イオン交換膜の各々の長さ及び幅は、それぞれ１０インチ及び９インチであった。
【００３７】
比較例
約４０Ｌの水性流を調製し、約１００００ｐｐｍの塩化ナトリウムを含んでいた。約２Ｌの回収流を調製し、約１００００ｐｐｍの塩化ナトリウムを含んでいた。
【００３８】
１０Ｖの一定のＤＣ電圧をカソード及びアノードに印加し、共に０．５ｌ／分の流速で水性流を第１のコンパートメントに再循環させ、回収流を第２のコンパートメントに再循環させた。
【００３９】
試験時間に対する電圧−電流曲線を、図２に示す。約１分間で約１０００ｍＡから約３００ｍＡへの電流の図２に示す急速な降下は、プロトン以外のほとんどの陽イオンがプロトン選択膜によってブロックされ、水がプロトン及び水酸化物イオンに分解されず、装置が酸を含まない流れに対しては機能しなかったことを示唆している。
【００４０】
実施例２
約４０Ｌの水性流を調製し、約０．１５％の塩化水素、約５０００ｐｐｍの塩化カルシウム及び約５０００ｐｐｍの塩化ナトリウムを含んでいた。約２Ｌの回収流を調製し、約０．１９％の塩化水素を含んでいた。水性流及び回収流のｐＨは、両方とも約１．４であった。
【００４１】
１０Ｖの一定のＤＣ電圧をカソード及びアノードに印加し、共に０．５ｌ／分の流速で水性流を第１のコンパートメントに再循環させ、回収流を第２のコンパートメントに再循環させた。
【００４２】
塩化水素の濃度は、水酸化ナトリウムによる滴定によって決定した。他のイオン種の濃度は、誘導結合プラズマ発光分析計を使用して測定し、不純物の濃度となるように加えた。約４時間の再循環の前後の水性流及び回収流の塩化水素及び不純物の濃度を、以下の表１に示す。
【００４３】
【表１】
2018502708.tif 000002
【００４４】
表１のデータは、第１のコンパートメントからプロトン選択膜を介したプロトン及び陰イオン交換膜を介した塩化物イオンが両方とも第２のコンパートメントに移動し、カルシウムイオン及びナトリウムイオンの大部分が第１のコンパートメントに保持されたことを示している。したがって、塩化水素は第１のコンパートメントから選択的に回収され、第２のコンパートメントに濃縮された。
【００４５】
酸回収率は、以下の式で計算した：４時間の再循環後の回収流の酸の重量／４時間の再循環前の水性流の酸の重量×１００％＝７７．６％、回収された酸の純度は、以下の式で計算した：４時間の再循環後の回収流の酸の重量／４時間の再循環後の回収流の重量×１００％＝９７．２重量％。
【００４６】
試験時間に対する電圧−電流曲線を、図３に示す。図３に示す電流は、約４時間で約１３００ｍＡ〜約１５００ｍＡの範囲に維持され、プロトン及び陰イオンの移動が確認された。
【００４７】
実施例３
約２５Ｌの水性流が得られた。水性流の組成を、誘導結合プラズマ発光分析計を使用して分析し、以下の表２に示す。
【００４８】
【表２】
2018502708.tif 000003
【００４９】
約１Ｌの回収流を調製し、０．０１２％の硫酸を含んでいた。回収流のｐＨは、約２．６であった。
【００５０】
７Ｖの一定のＤＣ電圧を印加し、共に約０．２ｌ／分の流速で水性流を第１のコンパートメントに再循環させ、回収流を第２のコンパートメントに再循環させた。
【００５１】
酸の濃度は、水酸化ナトリウムによる滴定によって決定した。他のイオン種の濃度は、誘導結合プラズマ発光分析計を使用して測定し、不純物の濃度となるように加えた。約４時間の再循環の前後の水性流及び回収流の酸及び不純物の濃度を、以下の表３に示す。
【００５２】
【表３】
2018502708.tif 000004
【００５３】
表３のデータは、第１のコンパートメントからプロトン選択膜を介したプロトン及び陰イオン交換膜を介した陰イオンが両方とも第２のコンパートメントに移動し、プロトン以外の陽イオンの大部分が第１のコンパートメントに保持されたことを示している。したがって、酸は第１のコンパートメントから選択的に回収され、第２のコンパートメントに濃縮された。酸回収率は、以下の式で計算した：４時間の再循環後の回収流の酸の重量／４時間の再循環前の水性流の酸の重量×１００％＝７５．９％、回収された酸の純度は、以下の式で計算した：４時間の再循環後の回収流の酸の重量／４時間の再循環後の回収流の重量×１００％＝９６．７重量％。
【００５４】
実施例４
約２５Ｌの水性流が得られた。水性流の組成を、誘導結合プラズマ発光分析計を使用して分析し、以下の表４に示す。また、イオンクロマトグラフィーによって２１９．８ｐｐｍのＦ-及び６７６．６ｐｐｍのＮＯ3-が検出された。
【００５５】
【表４】
2018502708.tif 000005
【００５６】
約１Ｌの回収流を調製し、０．０１２重量％の硫酸を含んでいた。回収流のｐＨは、約６．０３であった。
【００５７】
７Ｖの一定のＤＣ電圧をカソード及びアノードに印加し、共に０．２ｌ／分の流速で水性流を第１のコンパートメントに再循環させ、回収流を第２のコンパートメントに再循環させた。
【００５８】
酸の濃度は、水酸化ナトリウムによる滴定によって決定した。他のイオン種の濃度は、誘導結合プラズマ発光分析計を使用して測定し、不純物の濃度となるように加えた。約４時間の再循環の前後の水性流及び回収流の酸及び不純物の濃度を、以下の表５に示す。
【００５９】
【表５】
2018502708.tif 000006
【００６０】
表４のデータは、第１のコンパートメントからプロトン選択膜を介した主にプロトン及び陰イオン交換膜を介した陰イオンが両方とも第２のコンパートメントに移動し、プロトン以外の陽イオンの大部分が第１のコンパートメントに保持されたことを示している。したがって、酸は第１のコンパートメントから選択的に回収され、第２のコンパートメントに濃縮された。酸回収率は、以下の式で計算した：４時間の再循環後の回収流の酸の重量／４時間の再循環前の水性流の酸の重量×１００％＝６８．４％、回収された酸の純度は、以下の式で計算した：４時間の再循環後の回収流の酸の重量／４時間の再循環後の回収流の重量×１００％＝９４．４重量％。
【００６１】
本開示は典型的な実施形態で図示され説明されているが、本開示の精神から何ら逸脱することなく様々な修正及び置換を行うことができるので、示されている詳細に限定されることは意図していない。したがって、本明細書に開示された本開示のさらなる修正及び均等物は、当業者には日常的な実験を使用するだけで思いつくことができ、このようなすべての修正及び均等物は、以下の特許請求の範囲で定義されている本開示の精神及び範囲内であると見なされる。
【図１】
2018502708.tif 000007
【図２】
2018502708.tif 000008
【図３】
2018502708.tif 000009
【国際調査報告】
2018502708.tif 000010
2018502708.tif 000011
2018502708.tif 000012